(57)【要約】【課題】２つ以上のオントロジ辞書から１つの検索結果を得る。【解決手段】検索要求装置２からの検索対象概念からの概念とコンテンツの検索を制御するとともに、ユーザに依存するリンク強度を定義したユーザオントロジ辞書３１と、当該ユーザに依存しないリンク強度を定義した基礎オントロジ辞書４１の両オントロジ辞書からリンク強度を取得し、対応するリンク強度同士で新たなリンク強度を算出するリンク強度算出手段（１２）と、検索された概念とコンテンツから検索結果として通知される概念とコンテンツを前記算出されたリンク強度により決定する検索結果決定手段（１３）と、決定された検索結果を検索要求装置２へ通知する検索結果通知手段（１４）とを備える概念コンテンツ検索装置（１）としたことで、２つ以上のオントロジ辞書から１つの検索結果が得られる。【選択図】図１
2006227803.tif 000002
【特許請求の範囲】
【請求項１】
概念間および概念コンテンツ間およびその間のリンク強度を定義したオントロジ辞書を用いて概念とコンテンツを検索する概念コンテンツ検索装置において、
検索対象概念を受け付ける検索対象概念受付手段と、
検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段と、
検索された概念とコンテンツから検索結果として通知される概念とコンテンツを前記算出されたリンク強度により決定する検索結果決定手段と、
決定された検索結果を通知する検索結果通知手段と
とを備えることを特徴とする概念コンテンツ検索装置。
【請求項２】
複数の基礎オントロジ辞書に含まれる基礎オントロジ辞書の指定を受け付ける基礎オントロジ辞書指定受付手段を備え、
リンク強度算出手段は、
受け付けた指定の基礎オントロジ辞書からリンク強度を取得する
ことを特徴とする請求項１記載の概念コンテンツ検索装置。
【請求項３】
計算比率の指定を受け付ける計算比率指定受付手段を備え、
リンク強度算出手段は、
受け付けた計算比率でリンク強度を計算する
ことを特徴とする請求項１または２記載の概念コンテンツ検索装置。
【請求項４】
概念間および概念コンテンツ間およびその間のリンク強度を定義したオントロジ辞書を用いて概念とコンテンツを検索する概念コンテンツ検索装置が行う概念コンテンツ検索方法において、
検索対象概念を受け付ける検索対象概念受付手段が検索対象概念を受け付け、
検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段がリンク強度を算出し、
検索された概念とコンテンツから検索結果として通知される概念とコンテンツを前記算出されたリンク強度により決定する検索結果決定手段が検索結果を決定し、
決定された検索結果を通知する検索結果通知手段が検索結果を通知する
ことを特徴とする概念コンテンツ検索方法。
【請求項５】
複数の基礎オントロジ辞書に含まれる基礎オントロジ辞書の指定を受け付ける基礎オントロジ辞書指定受付手段が当該指定を受け付け、
リンク強度算出手段は、
受け付けた指定の基礎オントロジ辞書からリンク強度を取得する
ことを特徴とする請求項４記載の概念コンテンツ検索方法。
【請求項６】
計算比率の指定を受け付ける計算比率指定受付手段が当該計算比率を受け付け、
リンク強度算出手段は、
受け付けた計算比率でリンク強度を計算する
ことを特徴とする請求項４または５記載の概念コンテンツ検索方法。
【請求項７】
概念間および概念コンテンツ間およびその間のリンク強度を定義したオントロジ辞書を用いて概念とコンテンツを検索する概念コンテンツ検索装置において、
検索対象概念を受け付ける検索対象概念受付手段と、
検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段と、
検索された概念とコンテンツから検索結果として通知される概念とコンテンツを前記算出されたリンク強度により決定する検索結果決定手段と、
決定された検索結果を通知する検索結果通知手段と
とを備えることを特徴とする概念コンテンツ検索装置としてコンピュータを機能させるコンピュータプログラム。
【発明の詳細な説明】
【技術分野】
【０００１】
本発明は、２つ以上のオントロジ辞書から１つの検索結果が得られる概念コンテンツ検索装置および方法に関するものである。
【背景技術】
【０００２】
従来より、セマンティックウェブ分野においては、概念間の関係を表現するためにオントロジ辞書が用いられる。オントロジ辞書には、その辞書に含まれる任意の２つの概念間（以下、概念間）の関係の強さ（以下、リンク強度）と、その辞書に含まれる任意の概念と該概念に関係する（リンクするともいう）コンテンツとの間（以下、概念コンピュータ間）のリンク強度とを定義したものがある（特許文献１）。
【０００３】
オントロジ辞書は、特許文献１では、同一ユーザの評価などのユーザ情報から構築されている。また、オントロジ辞書は、そのユーザの年齢、性別、嗜好、履歴などのユーザ情報から構築してもよい。このような、同一ユーザのユーザ情報から構築されたオントロジ辞書はユーザオントロジ辞書という。
【０００４】
特許文献１では、最初にユーザにより指定された概念から概念およびコンテンツを検索し、検索結果に対する評価をユーザオントロジ辞書のリンク強度に反映させる。
【特許文献１】特開２００３−１０８５９７号公報
【発明の開示】
【発明が解決しようとする課題】
【０００５】
しかし、このユーザオントロジ辞書で概念およびコンテンツを検索する場合、ユーザ情報が不足すると、ユーザの考えるリンク強度がオントロジ辞書に反映されないため、期待通りの検索結果が得られないことがある。
【０００６】
そこで、そのユーザのユーザ情報に依存しないオントロジ辞書である基礎オントロジ辞書が利用されることがある。これは、例えば、年齢と性別が同じで、嗜好が似た友人のユーザオントロジ辞書である。しかし、その場合、期待したものに近い検索結果が得られるものの、それはあくまで、友人の場合の検索結果であって、そこには元のユーザ情報が反映されない。
【０００７】
かかる事情から、２つ以上のオントロジ辞書から１つの検索結果が得られる概念コンテンツ検索装置が所望されている。
【０００８】
本発明の目的とするところは、２つ以上のオントロジ辞書から１つの検索結果が得られる概念コンテンツ検索装置および方法を提供することにある。
【課題を解決するための手段】
【０００９】
上記の課題を解決するために、請求項１の本発明は、概念間および概念コンテンツ間およびその間のリンク強度を定義したオントロジ辞書を用いて概念とコンテンツを検索する概念コンテンツ検索装置において、検索対象概念を受け付ける検索対象概念受付手段と、検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段と、検索された概念とコンテンツから検索結果として通知される概念とコンテンツを前記算出されたリンク強度により決定する検索結果決定手段と、決定された検索結果を通知する検索結果通知手段とを備えることを特徴とする概念コンテンツ検索装置をもって解決手段とする。
【００１０】
請求項１の本発明では、検索対象概念を受け付け、この検索対象概念からの概念とコンテンツの検索を制御し、ユーザに依存するリンク強度を定義したオントロジ辞書であるユーザオントロジ辞書と、当該ユーザに依存しないリンク強度を定義したオントロジ辞書である基礎オントロジ辞書の両オントロジ辞書からリンク強度を取得し、対応するリンク強度同士で新たなリンク強度を算出し、検索された概念とコンテンツから検索結果として通知される概念とコンテンツを、算出されたリンク強度により決定し、決定された検索結果を通知することで、２つ以上のオントロジ辞書から１つの検索結果が得られる。
【００１１】
請求項２の本発明は、複数の基礎オントロジ辞書に含まれる基礎オントロジ辞書の指定を受け付ける基礎オントロジ辞書指定受付手段を備え、リンク強度算出手段は、受け付けた指定の基礎オントロジ辞書からリンク強度を取得することを特徴とする請求項１記載の概念コンテンツ検索装置をもって解決手段とする。
【００１２】
請求項２の本発明では、検索対象概念を受け付け、複数の基礎オントロジ辞書に含まれる基礎オントロジ辞書の指定を受け付け、検索対象概念からの概念とコンテンツの検索を制御し、受け付けた指定の基礎オントロジ辞書からリンク強度を取得し、このリンク強度と、ユーザオントロジ辞書から取得したリンク強度とで新たなリンク強度を算出し、検索された概念とコンテンツから検索結果として通知される概念とコンテンツを、算出されたリンク強度により決定し、決定された検索結果を通知することで、ユーザオントロジ辞書と指定された基礎オントロジ辞書から１つの検索結果が得られる。
【００１３】
請求項３の本発明は、計算比率の指定を受け付ける計算比率指定受付手段を備え、リンク強度算出手段は、受け付けた計算比率でリンク強度を計算することを特徴とする請求項１または２記載の概念コンテンツ検索装置をもって解決手段とする。
【００１４】
請求項３の本発明では、検索対象概念を受け付け、計算比率の指定を受け付け、検索対象概念からの概念とコンテンツの検索を制御し、ユーザに依存するリンク強度を定義したオントロジ辞書であるユーザオントロジ辞書と、当該ユーザに依存しないリンク強度を定義したオントロジ辞書である基礎オントロジ辞書の両オントロジ辞書からリンク強度を取得し、対応するリンク強度同士に計算比率を用いて新たなリンク強度を算出し、検索された概念とコンテンツから検索結果として通知される概念とコンテンツを、算出されたリンク強度により決定し、決定された検索結果を通知することで、指定された計算比率により決定される概念およびコンテンツが検索結果として得られる。
【００１５】
請求項４の本発明は、概念間および概念コンテンツ間およびその間のリンク強度を定義したオントロジ辞書を用いて概念とコンテンツを検索する概念コンテンツ検索装置が行う概念コンテンツ検索方法において、検索対象概念を受け付ける検索対象概念受付手段が検索対象概念を受け付け、検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段がリンク強度を算出し、検索された概念とコンテンツから検索結果として通知される概念とコンテンツを前記算出されたリンク強度により決定する検索結果決定手段が検索結果を決定し、決定された検索結果を通知する検索結果通知手段が検索結果を通知することを特徴とする概念コンテンツ検索方法をもって解決手段とする。
【００１６】
請求項４の本発明では、検索対象概念を受け付け、この検索対象概念からの概念とコンテンツの検索を制御し、ユーザに依存するリンク強度を定義したオントロジ辞書であるユーザオントロジ辞書と、当該ユーザに依存しないリンク強度を定義したオントロジ辞書である基礎オントロジ辞書の両オントロジ辞書からリンク強度を取得し、対応するリンク強度同士で新たなリンク強度を算出し、検索された概念とコンテンツから検索結果として通知される概念とコンテンツを、算出されたリンク強度により決定し、決定された検索結果を通知することで、２つ以上のオントロジ辞書から１つの検索結果が得られる。
【００１７】
請求項５の本発明は、複数の基礎オントロジ辞書に含まれる基礎オントロジ辞書の指定を受け付ける基礎オントロジ辞書指定受付手段が当該指定を受け付け、リンク強度算出手段は、受け付けた指定の基礎オントロジ辞書からリンク強度を取得することを特徴とする請求項４記載の概念コンテンツ検索方法をもって解決手段とする。
【００１８】
請求項５の本発明では、検索対象概念を受け付け、複数の基礎オントロジ辞書に含まれる基礎オントロジ辞書の指定を受け付け、検索対象概念からの概念とコンテンツの検索を制御し、受け付けた指定の基礎オントロジ辞書からリンク強度を取得し、このリンク強度と、ユーザオントロジ辞書から取得したリンク強度とで新たなリンク強度を算出し、検索された概念とコンテンツから検索結果として通知される概念とコンテンツを、算出されたリンク強度により決定し、決定された検索結果を通知することで、ユーザオントロジ辞書と指定された基礎オントロジ辞書から１つの検索結果が得られる。
【００１９】
請求項６の本発明は、計算比率の指定を受け付ける計算比率指定受付手段が当該計算比率を受け付け、リンク強度算出手段は、受け付けた計算比率でリンク強度を計算することを特徴とする請求項４または５記載の概念コンテンツ検索方法をもって解決手段とする。  請求項６の本発明では、検索対象概念を受け付け、計算比率の指定を受け付け、検索対象概念からの概念とコンテンツの検索を制御し、ユーザに依存するリンク強度を定義したオントロジ辞書であるユーザオントロジ辞書と、当該ユーザに依存しないリンク強度を定義したオントロジ辞書である基礎オントロジ辞書の両オントロジ辞書からリンク強度を取得し、対応するリンク強度同士に計算比率を用いて新たなリンク強度を算出し、検索された概念とコンテンツから検索結果として通知される概念とコンテンツを、算出されたリンク強度により決定し、決定された検索結果を通知することで、指定された計算比率により決定される概念およびコンテンツが検索結果として得られる。
【００２０】
請求項７の本発明は、概念間および概念コンテンツ間およびその間のリンク強度を定義したオントロジ辞書を用いて概念とコンテンツを検索する概念コンテンツ検索装置において、検索対象概念を受け付ける検索対象概念受付手段と、検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段と、検索された概念とコンテンツから検索結果として通知される概念とコンテンツを前記算出されたリンク強度により決定する検索結果決定手段と、決定された検索結果を通知する検索結果通知手段とを備えることを特徴とする概念コンテンツ検索装置としてコンピュータを機能させるコンピュータプログラムをもって解決手段とする。
【００２１】
請求項７の本発明では、概念間および概念コンテンツ間およびその間のリンク強度を定義したオントロジ辞書を用いて概念とコンテンツを検索する概念コンテンツ検索装置において、検索対象概念を受け付ける検索対象概念受付手段と、検索対象概念からの概念とコンテンツの検索を制御するとともに、ユーザに依存するリンク強度を定義した前記オントロジ辞書であるユーザオントロジ辞書と、当該ユーザに依存しないリンク強度を定義した前記オントロジ辞書である基礎オントロジ辞書の両オントロジ辞書からリンク強度を取得し、対応するリンク強度同士で新たなリンク強度を算出するリンク強度算出手段と、検索された概念とコンテンツから検索結果として通知される概念とコンテンツを前記算出されたリンク強度により決定する検索結果決定手段と、決定された検索結果を通知する検索結果通知手段とを備えることを特徴とする概念コンテンツ検索装置としてコンピュータを機能させるコンピュータプログラムを流通可能にする。
【発明の効果】
【００２２】
本発明によれば、検索対象概念を受け付け、この検索対象概念からの概念とコンテンツの検索を制御し、ユーザに依存するリンク強度を定義したオントロジ辞書であるユーザオントロジ辞書と、当該ユーザに依存しないリンク強度を定義したオントロジ辞書である基礎オントロジ辞書の両オントロジ辞書からリンク強度を取得し、対応するリンク強度同士で新たなリンク強度を算出し、検索された概念とコンテンツから検索結果として通知される概念とコンテンツを、算出されたリンク強度により決定し、決定された検索結果を通知することで、２つ以上のオントロジ辞書から１つの検索結果が得られる。
【００２３】
また、検索対象概念を受け付け、複数の基礎オントロジ辞書に含まれる基礎オントロジ辞書の指定を受け付け、検索対象概念からの概念とコンテンツの検索を制御し、受け付けた指定の基礎オントロジ辞書からリンク強度を取得し、このリンク強度と、ユーザオントロジ辞書から取得したリンク強度とで新たなリンク強度を算出し、検索された概念とコンテンツから検索結果として通知される概念とコンテンツを、算出されたリンク強度により決定し、決定された検索結果を通知することで、ユーザオントロジ辞書と指定された基礎オントロジ辞書から１つの検索結果が得られる。
【００２４】
また、検索対象概念を受け付け、計算比率の指定を受け付け、検索対象概念からの概念とコンテンツの検索を制御し、ユーザに依存するリンク強度を定義したオントロジ辞書であるユーザオントロジ辞書と、当該ユーザに依存しないリンク強度を定義したオントロジ辞書である基礎オントロジ辞書の両オントロジ辞書からリンク強度を取得し、対応するリンク強度同士に計算比率を用いて新たなリンク強度を算出し、検索された概念とコンテンツから検索結果として通知される概念とコンテンツを、算出されたリンク強度により決定し、決定された検索結果を通知することで、指定された計算比率により決定される概念およびコンテンツが検索結果として得られる。
【発明を実施するための最良の形態】
【００２５】
以下、本発明の概念コンテンツ検索装置および方法の実施の形態を図面を参照して説明する。
【００２６】
図１は、本実施の形態に係るシステムの概略構成図である。
【００２７】
概念コンテンツ検索装置１は、概念とコンテンツを検索した検索結果を検索要求装置２へ送信する装置であり、パーソナルコンピュータやワークステーションなどのコンピュータが所定のコンピュータプログラムを実行することにより、このコンピュータが装置１として機能するようになっている。装置１と装置２はインターネットやイントラネットなどのコンピュータネットワークで接続される。概念は、例えば、日本語表記された文字列を含む。一方、コンテンツは、例えば、ホームページであるが、音声や映像を圧縮したファイルなどでもよい。
【００２８】
概念コンテンツ検索装置１は、検索対象概念を受け付ける検索対象概念受付部１１と、基礎オントロジ辞書の指定を受け付ける基礎オントロジ辞書指定受付部１２と、計算比率の指定を受け付ける計算比率指定受付部１３と、リンク強度を計算するリンク強度計算部１４と、検索結果を決定する検索結果決定部１５と、検索結果を通知する検索結果通知部１６と、概念間および概念コンテンツ間ならびに検索要求装置２を使用するユーザ（以下、ユーザ）に依存するリンク強度を定義したユーザオントロジ辞書３１と、ユーザオントロジ辞書３１を管理するユーザオントロジ辞書管理部３２と、概念間および概念コンテンツ間ならびにユーザに依存しないリンク強度を定義した基礎オントロジ辞書４１と、基礎オントロジ辞書４１を管理する基礎オントロジ辞書管理部４２とを備える。ここでは、複数ある基礎オントロジ辞書４１の１つを示す。なお、以下の説明では、装置１内での情報送信に言及するが、これを該装置が備える図示しない記憶装置を介して行ってもよい。また、要求に基づく情報処理に言及するが、この情報は、この記憶装置の所定の場所に格納され、ここから適宜各処理部が情報を読み出して処理するようになっている。
【００２９】
検索要求装置２は、検索対象概念を送信する検索対象概念送信部２１と、基礎オントロジを指定する基礎オントロジ指定部２２と、計算比率を指定する計算比率指定部２３と、検索結果を受け付ける検索結果受付部２４とを備え、装置１と同様に、コンピュータがプログラムを実行して装置２として機能する。このプログラムは、例えば、ウェブブラウザとともに用いられる。
【００３０】
図２は、ユーザオントロジ辞書３１の構成図である。
【００３１】
概念間のリンク情報は、Ｌ（”子”、Ｃ１、Ｃ２、２）のように示す。これでは、概念Ｃ（以下、Ｃは概念を示す情報（ここでは概念という）を示す）２が概念Ｃ１の”子”概念であることを示す。また、リンク強度が２であることを示す。また、概念コンテンツ間のリンク情報は、Ｌ（Ｃ２、Ｐ１、４）のように示す。これでは、コンテンツＰ（以下、Ｐはコンテンツを示す）１が概念Ｃ２とリンクするコンテンツであることを示す。また、リンク強度が４であることを示す。コンテンツはユーザオントロジ辞書３１には含まれず、例えば、Ｌ（Ｃ２、Ｐ１、４）の中にはＰ１のＵＲＩ(Universal Resource Indicator)が格納され、それを検索結果に含ませるようになっている。
【００３２】
図３は、リンク強度計算部１４の基礎オントロジ辞書４１による処理の処理説明図である。
【００３３】
基礎オントロジ辞書４１は、リンク強度がユーザに依存しないことを除いては、ユーザオントロジ辞書３１と同様に構成される。基礎オントロジ辞書４１は、例えば、他のユーザのユーザオントロジ辞書でもよい。図３では、図１に示した基礎オントロジ辞書４１（４１Ｂ）と、他の基礎オントロジ辞書４１（４１Ａ、４１Ｃ）を示す。例えば、Ｃ３とＣ５の間のリンク強度は、辞書４１Ａでのものが２５、辞書４１Ｂでのものが１５、辞書４１Ｃでのものが５というように設定される。
【００３４】
次に、本実施の形態の動作を説明する。なお、説明には適宜例示を用いることとする。また、符号つきの用語を適宜符号のみで説明することとする。
【００３５】
図１において、検索要求装置２の検索対象概念送信部２１は、例えば、検索対象概念Ｃ２、Ｃ３を概念コンテンツ検索装置１の検索対象概念受付部１１に送信する（ステップＳ１）。また、検索要求装置２の基礎オントロジ指定部２２は、基礎オントロジ辞書指定受付部１２に対し、例えば、図１に示す基礎オントロジ辞書４１を指定する（ステップＳ３）。また、検索要求装置２の計算比率指定部２３は、計算比率指定受付部１３に対し、計算比率「７：３」を指定する（ステップＳ５）。なお、ステップＳ３，５は任意のタイミングで行ってよい。
【００３６】
検索対象概念受付部１１は、リンク強度計算部１４にリンク強度計算要求を行う（ステップＳ７）。
【００３７】
リンク強度計算部１４は、ユーザオントロジ辞書管理部３２に対し、ユーザリンク強度取得要求とともに、Ｃ２、Ｃ３を送信する（ステップＳ９）。また、リンク強度計算部１４は、基礎オントロジ辞書管理部４２に対し、基礎リンク強度取得要求とともに、Ｃ２、Ｃ３を送信し、図１に示す基礎オントロジ辞書４１を指定する（ステップＳ１１）。
【００３８】
ユーザオントロジ辞書管理部３２は、Ｃ２、Ｃ３の子概念、同値概念、リンク情報を検索する（ステップＳ１３）。図２では、Ｃ２、Ｃ３、Ｃ４（Ｃ２の子概念）およびＬ（”子”、Ｃ２、Ｃ４、２）、Ｃ５（Ｃ２、Ｃ３の子概念）およびＬ（Ｃ２、Ｃ５、７）、Ｌ（”子”、Ｃ２、Ｃ５、７）、Ｃ６（Ｃ３の同値概念）およびＬ（”同値”、Ｃ３、Ｃ６、３）、Ｌ（Ｃ２、Ｐ１、４）、Ｌ（Ｃ４、Ｐ２、５）、Ｌ（Ｃ４、Ｐ３、１１）、Ｌ（Ｃ５、Ｐ３、７）、Ｌ（Ｃ５、Ｐ４、８）、Ｌ（Ｃ６、Ｐ５、３）を検索する。そして、これらをリンク強度計算部１４に送信する（ステップＳ１５）。
【００３９】
また、基礎オントロジ辞書管理部４２は、指定された基礎オントロジ辞書４１について、同様の処理（Ｓ１７：検索、Ｓ１９：送信）を行う。
【００４０】
リンク強度計算部１４は、ユーザオントロジ辞書管理部３２からのリンク強度と、基礎オントロジ辞書管理部４２からのリンク強度と、指定された計算比率７：３とを用いて、新たなリンク強度を計算する（ステップＳ２１）。
【００４１】
図３において、リンク強度計算部１４は、Ｃ３とＣ５の間の新たなリンク強度を、１５×７／１０＋３２×３／１０のように計算し、他のリンク強度についても同様に計算する。
【００４２】
リンク強度計算部１４は、例えば、ユーザオントロジ辞書管理部３２からの各リンク情報のリンク強度を新たなリンク強度に置き換える。
【００４３】
このようにして、リンク強度計算部１４の処理が終わると、リンク強度計算部１４は、検索結果決定部１５に対し、検索結果決定要求を行い（ステップＳ２３）、検索結果決定部１５は、以下のように検索結果を決定する（ステップＳ２５）。
【００４４】
検索結果決定部１５は、新たなリンク強度の中で、所定の閾値に満たないものを含むリンク情報を削除し、検索対象概念Ｃ２、Ｃ３と、これに対して、削除されていないリンク情報でリンクする概念およびコンテンツとを、検索結果としての概念およびコンテンツとして決定する。
【００４５】
なお、検索結果としての概念を検索対象概念としてリンク強度計算部１４に渡し、これにより、検索対象概念Ｃ２、Ｃ３から行った検索と同様の検索、またはこの検索ならびに同様のリンク情報の削除、つまり再帰的処理を１回以上行ってもよい。
【００４６】
このようにして、検索結果が決定すると、検索結果決定部１５は、検索結果通知部１６に対し、検索結果通知要求を行い（ステップＳ２７）、検索結果通知部１６は、検索結果を検索要求装置２の検索結果受付部２４に通知する（ステップＳ２９）。
【００４７】
検索結果受付部２４は、通知された検索結果を表示させる（ステップＳ３１）。
【００４８】
以上説明したように、本実施の形態によれば、概念間および概念コンテンツ間およびその間のリンク強度を定義したオントロジ辞書を用いて概念とコンテンツを検索する概念コンテンツ検索装置を、検索対象概念を受け付ける検索対象概念受付手段（１１）と、検索対象概念からの概念とコンテンツの検索を制御するとともに、ユーザに依存するリンク強度を定義した前記オントロジ辞書であるユーザオントロジ辞書（３１）と、当該ユーザに依存しないリンク強度を定義した前記オントロジ辞書である基礎オントロジ辞書（４１）の両オントロジ辞書からリンク強度を取得し、対応するリンク強度同士で新たなリンク強度を算出するリンク強度算出手段（１２）と、検索された概念とコンテンツから検索結果として通知される概念とコンテンツを前記算出されたリンク強度により決定する検索結果決定手段（１３）と、決定された検索結果を通知する検索結果通知手段（１４）とを備える概念コンテンツ検索装置（１）としたことで、２つ以上のオントロジ辞書から１つの検索結果が得られる。
【００４９】
また、複数の基礎オントロジ辞書に含まれる基礎オントロジ辞書の指定を受け付ける基礎オントロジ辞書指定受付手段（１２）を備え、リンク強度算出手段（１４）は、受け付けた指定の基礎オントロジ辞書からリンク強度を取得することで、ユーザオントロジ辞書と指定された基礎オントロジ辞書から１つの検索結果が得られる。
【００５０】
また、計算比率の指定を受け付ける計算比率指定受付手段（１３）を備え、リンク強度算出手段（１４）は、受け付けた計算比率でリンク強度を計算することで、指定された計算比率により決定される概念およびコンテンツが検索結果として得られる。
【００５１】
これにより、弾力的な検索が可能となる。例えば、父、母、兄、弟からなる家族がいて、父が旅行先のホームページを検索する際に、計算比を父：母：兄：弟＝３：３：２：２というようにすれば、父と母の嗜好を兄と弟の嗜好よりも若干重視したホームページを検索できる。
【００５２】
なお、上記説明した装置１としてコンピュータを機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００５３】
【図１】本実施の形態に係るシステムの概略構成図である。
【図２】ユーザオントロジ辞書３１の構成図である。
【図３】リンク強度計算部１４の基礎オントロジ辞書４１による処理の処理説明図である。
【符号の説明】
【００５４】
１…概念コンテンツ検索装置
２…検索要求装置
１１…検索対象概念受付部
１２…基礎オントロジ辞書指定受付部
１３…計算比率指定受付部
１４…リンク強度計算部
１５…検索結果決定部
１６…検索結果通知部
２１…検索対象概念送信部
２２…基礎オントロジ指定部
２３…計算比率指定部
２４…検索結果受付部
３１…ユーザオントロジ辞書
３２…ユーザオントロジ辞書管理部
４１…基礎オントロジ辞書
４２…基礎オントロジ辞書管理部
【図１】
2006227803.tif 000003
【図２】
2006227803.tif 000004
【図３】
2006227803.tif 000005